(57)【要約】【目的】意匠的にも、経済的にも非常にすぐれた部材どうしの接合部を形成できる接合金具および接合構造を提供する。【解決手段】複数の前脚２と後脚３と座板４とから木製ベンチ１を構成する。前脚２、後脚３および座板４はいずれも間伐材から形成する。後脚３は複数の間伐材３ａを、座板４は複数の間伐材４ａをそれぞれ互いに結束して矩形板状に形成する。前脚２と座板４および後脚３と座板４をそれぞれ接合金具５によって互いに一体的に接合する。接合金具５は金具本体６と接合ナット７とから構成し、金具本体６は三角形板状に形成されたベース部６ａとその一側部に垂直に突設された雄ねじ部６ｂとから形成し、雄ねじ部６ｂの先端部に接合ナット７を螺合する。【選択図】                  図１
2004225816.tif 000002
【特許請求の範囲】
【請求項１】
被接合部材どうしを接合する接合金具において、ベース部とその一側部に突設された雄ねじ部とから形成され、かつ前記被接合部材の一方に前記ベース部を固定することにより突設される金具本体と、前記被接合部材の他方に形成された貫通孔を貫通する前記雄ねじ部に螺合される接合ナットとから形成されてなることを特徴とする接合金具。
【請求項２】
被接合部材どうしを接合金具によって接合する接合構造において、前記接合金具はベース部とその一側部に突設された雄ねじ部とから形成され、かつ前記被接合部材の一方に前記ベース部を固定することにより突設された金具本体と、前記被接合部材の他方に形成された貫通孔を貫通する前記雄ねじ部に螺合された接合ナットとから形成されてなることを特徴とする接合構造。
【発明の詳細な説明】
【０００１】
【発明の属する技術分野】
本願発明は接合金具および接合構造に関し、例えば公園などの屋外で用いられる木製またはコンクリート製、あるいは樹脂製などのベンチや遊戯具、または屋内で用いられる椅子やテーブル等の家具、さらには手摺り等の工作物や構築物を組み立てる際に、部材どうしを接合するために用いられるものである。
【０００２】
【従来の技術】
例えば図４（ａ）は、公園などに設置される木製ベンチの一例を示し、図において、木製ベンチ１０は複数の前脚１１と横木（エプロン）１２と後脚１３と座板１４とから構成され、前脚１１と横木１２、後脚１３と横木１２がそれぞれ連結され、横木１２，１２間に複数の座板１４が取り付けられている。
【０００３】
この場合、特に前脚１１と横木１２、後脚１３と横木１２はそれぞれ、例えば図４（ｂ）に図示するようなＬ字状に形成された接合金具１５を各接合部に添え付け、釘打ちまたはねじ止めすることにより接合されている。
【０００４】
また、上述するような接合金具を用いない接合方法として、例えば前脚１１または横木１２の一方にほぞを、他方にこれを受けるほぞ穴をそれぞれ継手として形成し、このほぞとほぞ穴とを係合する継手方法も用いられている。
【０００５】
【特許文献】
【特開２０００−２９７５１１】
【特開平０５−２１５１１２】
【０００６】
【発明が解決しようとする課題】
しかし、接合金具を用いる方法は、接合金具が露出して見栄えが悪い等の課題があり、また特に公園などに設置されるベンチ等の場合、接合金具が風雨にさらされ、さびついて外観を損なうだけでなく、傷みが激しい等の課題があった。
【０００７】
また、継手による接合は、継手の加工が非常に面倒なため相当の熟練を必要とするだけでなく、強度的に劣る等の課題もあった。
【０００８】
本願発明は、以上の課題を解決するためになされたもので、意匠的にも経済的にも非常にすぐれた部材どうしの接合部を形成できる接合金具および接合構造を提供することを目的とする。
【０００９】
【課題を解決するための手段】
請求項１記載の接合金具は、被接合部材どうしを接合する接合金具において、ベース部とその一側部に突設された雄ねじ部とから形成され、かつ前記被接合部材の一方に前記ベース部を固定することにより突設された金具本体と、前記被接合部材の他方に形成された貫通孔を貫通する前記雄ねじ部に螺合された接合ナットとから形成されてなることを特徴とするものである。
【００１０】
請求項２記載の接合構造は、被接合部材どうしを接合金具によって接合する接合構造において、前記接合金具はベース部とその一側部に突設された雄ねじ部とから形成され、かつ前記被接合部材の一方に前記ベース部を固定することにより突設された金具本体と、前記被接合部材の他方に形成された貫通孔を貫通する前記雄ねじ部に螺合された接合ナットとから形成されてなることを特徴とするものである。
【００１１】
本願発明は、例えば公園などの屋外に設置される木製またはコンクリート製、あるいは樹脂製などのベンチや遊戯具、または手摺りや看板などの工作物、構築物、屋内で用いられる椅子やテーブル等の家具などを組立てる際、木製またはコンクリート製、あるいは樹脂製などの部材どうしを接合する目的で用いられる接合金具および接合構造であり、特に接合金具を外部に露出しないように用いることが可能なことで意匠性の高い接合部を形成することができ、また組立てと解体が繰り返し可能なことで経済的な面でも非常に有利な接合部を形成することができるものである。
【００１２】
なお、金具本体のベース部の形状は特に限定されるものではなく、例えば三角形板状、円形板状、あるいは矩形板状に形成してもよい。また、雄ねじ部も本数に制限があるわけではなく、一枚のベース部に数本突設してもよい。
【００１３】
また、ベース部の一側部に雄ねじ部を突設する方法としては、雄ねじ部をベース部の一側部に単に溶接して突設してもよく、あるいは、例えば図１（ｄ）に図示するように後端部に鍔状のストッパーを突設した雄ねじ部をベース部に形成した貫通孔にその裏側から貫通させて突設する方法などでもよい。
【００１４】
また、被接合部材どうしを接合する際、被接合部材の一方に接合ナット（インサートナット）を予め埋め込み、被接合部材の他方に金具本体を突設し、他方の被接合部材を金具本体とともに回して雄ねじ部を接合ナットに螺入して接合する構造としてもよい。
【００１５】
なお、公園などの屋外に設置されるベンチ、または手摺りや看板などの工作物や構築物には、集成材の他に特に間伐材を用いることで木材資源の有効利用を図ることができる。
【００１６】
【発明の実施の形態】
図１と図２は、公園などで用いられる木製ベンチの一例を示し、図において木製ベンチ１は複数の前脚２と後脚３と座板４とから構成され、後脚３の座板４より上の部分がベンチ１の背もたれになっている。
【００１７】
前脚２、後脚３および座板４はいずれも間伐材などから形成され、さらに後脚３は複数の間伐材３ａを、座板４は複数の間伐材４ａをそれぞれ互いに結束して矩形板状に形成されている。
【００１８】
また、前脚２と座板４および後脚３と座板４はそれぞれ接合金具５によって互いに一体的に接合され、接合金具５は金具本体６と接合ナット７とから構成されている。
【００１９】
金具本体６は三角形板状に形成されたベース部６ａとその一側部に垂直に突設された雄ねじ部６ｂとから形成され、かつベース部６ａの各コーナ部に取付孔６ｃが形成されている。
【００２０】
なお、ベース部６ａの一側部に雄ねじ部６ｂを突設するには、雄ねじ部６ｂをベース部６ａの一側部に単に溶接して突設したり、あるいは、例えば図１（ｄ）に図示するように後端部に鍔状のストッパー６ｄを突設した雄ねじ部６ｂをベース部６ａに形成した貫通孔６ｅにその裏側から貫通させて突設する方法などでもよい。
【００２１】
このように形成された金具本体６は各前脚（間伐材）２の上端部と座板（間伐材）４の後端部にそれぞれ突設されている。この場合、前脚２の上端部に突設された金具本体６にあっては、ベース部６ａを前脚２としての間伐材の木口面に形成された凹部２ａ内に取付孔６ｃを貫通する複数のくぎ、ねじまたは木ねじ他８によって固定することにより突設されている。
【００２２】
また、座板４の後端部に突設された金具本体６にあっては、ベース部６ａを間伐材４ａの木口面に形成された凹部４ｂ内に取付孔６ｃを貫通する複数のくぎ、ねじまたは木ねじ他８によって固定することにより突設されている。
【００２３】
そして、前脚２の上端部に突設された金具本体６の雄ねじ部６ｂは、座板４の間伐材４ａの先端部に垂直に形成された貫通孔４ｃに挿通され、座板４の間伐材４ａの後端部に突設された金具本体６の雄ねじ部６ｂは、後脚３（間伐材３ａ）に水平に形成された貫通孔３ｂに挿通され、そして各雄ねじ部６ｂの先端部に接合ナット７がそれぞれ強く締め付けられている。こうして、前脚２と座板４および後脚３と座板４はそれぞれ接合金具５によって一体的に接合されている。
【００２４】
この場合、貫通孔３ｂの先端部と貫通孔４ｃの上端部にそれぞれ連結ナット７を収納できるような凹部３ｃと４ｄが形成され、接合ナット７はこの凹部３ｃと４ｄ内で雄ねじ部６ｂの先端部に締め付けられている。また、接合ナット７が締め付けられた後に凹部３ｃと４ｄには間伐材と同質の木粉、コルクまたは木栓樹脂などの充填材９が充填されて接合ナット７が露出しないようにされている。
【００２５】
なお、金具本体６を取り付ける際、くぎ、ねじまたは木ねじ他８を強く締め付けることでベース部６ａが木口面にくい込むようであれば、凹部２ａと４ｂは省略してもよい。
【００２６】
また、後脚３と座板４、および前脚２と座板４とをそれぞれ接合する際、凹部３ｃと４ｄ内に予め接合ナット７をそれぞれ埋め込んでおき、それぞれ貫通孔３ｂ，４ｃ側から雄ねじ部６ｂを接合ナット７に螺入して接合する構造としてもよい。
【００２７】
また、後脚（間伐材３ａ）３と座板４（間伐材４ａ）内にそれぞれ接合ナット７に相当する部材としてインサートナット（図省略）を予め埋め込んでおき、また座板４（間伐材４ａ）の後端部と前脚（間伐材）２の上端部にそれぞれ金具本体６を突設しておき、そして間伐材４ａと前脚（間伐材３ａ）３をそれぞれ金具本体６とともに回して雄ねじ部６ｂをインサートナットに螺入することにより、間伐材４ａを後脚３に、前脚２を座板４（間伐材４ａ）にそれぞれ接合する構造としてもよい。
【００２８】
図３（ａ），（ｂ）は金具本体６の変形例を示し、それぞれベース部６ａが円形板状、矩形板状に形成されている例を示したものである。
【００２９】
なお上記実施例では、部材どうしの接合構造について説明したが、例えば手摺りや看板などの支柱をコンクリート基礎の上に立設する場合、コンクリート基礎内に接合ナットに相当する部材を埋設し、また支柱の下端部に金具本体を突設し、そして支柱を金具本体とともに回して雄ねじ部をインサートナットに螺入して支柱をコンクリート基礎の上に立設する構造としてもよい。
【００３０】
【発明の効果】
本願発明は以上説明したとおりであり、木製またはコンクリート製、あるいは樹脂製のベンチや椅子などを組立てる際、特に部材どうしを接合金具が外部に露出しないように用いて接合することが可能なことで、意匠性のきわめて高い接合部を形成することができ、また、組立てと解体が繰り返し可能なことで経済的にも非常に有利な接合部を形成することができる。
【図面の簡単な説明】
【図１】（ａ）は木製ベンチの一例を斜視図、（ｂ）は後脚と座板との接合後の状態を示す縦断面図、（ｃ）は後脚と座板との接合前の状態を示す縦断面図、（ｄ）は金具本体の断面図である。
【図２】（ａ）は後脚と座板との接合前の状態を示す斜視図、（ｂ）は前脚と座板との接合前の状態を示す斜視図である。
【図３】（ａ），（ｂ）は金具本体の変形例を示す斜視図である。
【図４】（ａ）は木製ベンチの従来例を示す斜視図、（ｂ）は接合金具を示す斜視図である。
【符号の説明】
１  木製ベンチ
２  前脚
３  後脚
３ａ  間伐材
４  座板
４ａ  間伐材
５  接合金具
６  金具本体
６ａ  ベース部
６ｂ  雄ねじ部
６ｃ  取付孔
６ｄ  ストッパー
７  接合ナット
８  くぎ、ねじまたは木ねじ他
９  充填材
【図１】
2004225816.tif 000003
【図２】
2004225816.tif 000004
【図３】
2004225816.tif 000005
【図４】
2004225816.tif 000006